(57)【特許請求の範囲】
【請求項１】
ロール紙を回転可能に保持するロール紙ホルダーであって、
ロール紙の芯に挿入されてロール紙を支持する芯挿入部を有するホルダー本体と、
表面に模様が付され且つロール紙を覆い且つロール紙の動きと連動する模様付円筒部と、
前記ロール紙及び前記模様付円筒部の外周面の上方を覆う透明なカバー部と、を備え、
前記カバー部にも部分的に模様が付され、前記ロール紙を繰り出す動作に応じて、回転する前記模様付円筒部の模様と静止している前記カバー部の模様とが合成されて変化する模様を発現することを特徴とするロール紙ホルダー。
【請求項２】
前記模様付円筒部は２個のパーツから成り、各パーツの幅はロール紙のロール幅の半分よりも小さく、各パーツをロール紙の幅方向の各端部寄りに被せることを特徴とする請求項１に記載のロール紙ホルダー。
【請求項３】
前記カバー部は制止片を有し、該制止片は前記ロール紙の外周面の前記模様付円筒部が被せられていない箇所に当接することを特徴とする請求項２に記載のロール紙ホルダー。
【発明の詳細な説明】
【技術分野】
【０００１】
トイレットペーパーのようなロール紙を回転可能に保持し、そのロール紙を繰り出す際に動きのある模様を発現させることによって、インテリア用品としてリビングや車の中でも違和感なく使用できるロール紙ホルダーに関するものである。
【背景技術】
【０００２】
トイレットペーパーホルダーの設けられているトイレは一日に何度も使用する場所である。とするならば、快適に過ごしたいものである。しかし、トイレットペーパーホルダーをはじめトイレの備品は機能性だけを備えた無味乾燥なものが多い。そこで特許文献１にはペーパーの下方に植物や灰皿を載せる容器が連接している「ペーパーホルダー用の装飾具」が開示されている。ペーパーの上面を覆うカバー板にはステンドグラスで模様が描かれ、装飾品としての側面も備えている。
一方、特許文献２に開示のトイレットペーパーのようにペーパー自体の表面に連続した静止画像や各種告知情報を記載し、ペーパーを引き出すときに動画的に見せるものもある。
【先行技術文献】
【特許文献】
【０００３】
【特許文献１】特開２０００−１０７０６６号公報
【特許文献２】特開２００６−１０２４０９号公報
【発明の概要】
【発明が解決しようとする課題】
【０００４】
特許文献１および特許文献２の発明は、無味乾燥なトイレ空間に視覚的な潤いを与えるものである。
しかし、特許文献１の発明は、トイレットペーパーホルダーに飾りを付けたものにすぎず、使用時に紙を繰り出すというロール紙の特性をなんら活用するものではない。
特許文献２の発明は、ロール紙の特性を活かし、動きのある模様を見せて楽しませるという効果がある。しかし、これはロール紙単独の効果である。
本出願人は、トイレットペーパーホルダーの面白い特徴に着目し、これをインテリア用品への転用に利用しようと考えた。即ち、ロール紙を繰り出す際に紙は移動するが、ロール紙外周面の上方を覆うカバー部はほとんど動かないという事実である。
【０００５】
次に、トイレットペーパーの利用法について述べる。トイレットペーパーは、本来の用途にとどまらず、ダイニングキッチン、リビング等でティッシュペーパーやキッチンペーパーと同じ用途に使用されるようにもなってきた。なぜなら、トイレットペーパーはティッシュペーパーやキッチンペーパーに比べて、低価格であり、必要な分の長さだけをちぎって使えるので無駄が生じずエコにもつながるからである。
しかし、トイレットペーパーをダイニングキッチンやリビング等でも使用しようとすると、やはり工夫しなければならない。トイレと同じ感覚で利用するのでは見栄えがよくないし、来客の時には特に困る。
そこで、本発明はトイレットペーパーのイメージを払拭し、トイレ以外のさまざまな場所でもトイレットペーパーをお洒落に、インテリア感覚で使用できるようにすることを目的とする。
【課題を解決するための手段】
【０００６】
上記の目的を達成するために、請求項１に係る発明は、ロール紙を回転可能に保持するロール紙ホルダーであって、
ロール紙の芯に挿入されてロール紙を支持する芯挿入部を有するホルダー本体と、
表面に模様が付され且つロール紙を覆い且つロール紙の動きと連動する模様付円筒部と、
前記ロール紙及び前記模様付円筒部の外周面の上方を覆う透明なカバー部と、を備え、
前記カバー部にも部分的に模様が付され、前記ロール紙を繰り出す動作に応じて、回転する前記模様付円筒部の模様と静止している前記カバー部の模様とが合成されて変化する模様を発現することを特徴とする。
このような本発明のロール紙ホルダーにより、ロール紙を繰り出すたびに、模様付円筒部が動き、その表面に付された模様が動いて、カバー部の静止した模様とが相まって動きのある模様が現れる。模様付円筒部とカバー部のそれぞれに付した模様によっては、美しいモアレ模様を発現することもできる。このように、実用に供される日用品でありながら、意匠的、色彩的変化を呈する新規なインテリア製品の側面も有する。
本発明での「ロール紙」としてはまずトイレットペーパーが挙げられる。しかし、トイレットペーパーに限らず、「ロール紙」は、ロール状の紙や布（リボンなど）やビニール製品全般を含む。
【０００８】
請求項２に係る発明は、請求項１に記載のロール紙ホルダーであって、
前記模様付円筒部は２個のパーツから成り、各パーツの幅はロール紙のロール幅の半分よりも小さく、各パーツをロール紙の幅方向の各端部寄りに被せることを特徴とする。
これにより幅方向の中央部は空いた状態になっているので、ロール紙をそこから繰り出すことができる。

【０００９】
請求項３に係る発明は、請求項２に記載のロール紙ホルダーであって、前記カバー部は制止片を有し、該制止片は前記ロール紙の外周面の前記模様付円筒部が被せられていない箇所に当接することを特徴とする。
これにより、ロール紙が繰り出される際、回転する模様付円筒部がロール紙の端部寄りから中央寄りに動くことを止め、ロール紙取り出しの抵抗になることを防止できる。
【発明の効果】
【００１２】
本発明のロール紙ホルダーを用いることにより、トイレットペーパーをダイニングキッチンやリビングなどに置いても見栄えがよく、お洒落なインテリア用品にもなる。
【図面の簡単な説明】
【００１３】
【図１】第１の実施形態のロール紙ホルダーの各構成部材の斜視図である。
【図２】第１の実施形態のロール紙ホルダーのホルダー本体にロール紙と模様付円筒部をセットした状態を示す斜視図である。
【図３】第１の実施形態のロール紙ホルダーの使用状態を示す正面図である。
【図４】第１の実施形態のロール紙ホルダーの使用により合成されて変化する模様が発現することを説明する図である。
【図５】第２の実施形態のロール紙ホルダーの使用状態を示す正面図である。
【図６】その他の実施形態のロール紙ホルダーの使用状態を示す正面図である。
【図７】ロール紙ホルダーを卓上で吊り下げるために使用するスタンドの一例を示す斜視図である。
【図８】その他の実施形態のホルダー本体を示す斜視図である。
【図９】その他の実施形態のホルダー本体と側面カバー部を示す斜視図である。
【発明を実施するための形態】
【００１４】
本発明の第１の実施形態のロール紙ホルダーについて、図面を参照しながら説明する。
【００１５】
この実施形態のロール紙ホルダー１は、図１に示すように対をなすホルダー本体２と模様付円筒部３とカバー部４から構成される。また模様付円筒部３は２個のパーツから成る。
【００１６】
ホルダー本体２はそれぞれ、ロール紙Ｐの上方に位置する取っ手５と、取っ手５の他端から下方に向けて延在する部分をＵ字状に湾曲させた芯挿入部６と、ロール紙ホルダー１が転倒したり、ロール紙ホルダー１を壁に吊るしたりしたときにロール紙Ｐが直接外部との接触から保護するための保護環７とからなる。
芯挿入部６は、その長手方向の長さはロール紙Ｐのロール幅と概ね等しくする。
この実施形態のホルダー本体２は、取っ手５と芯挿入部６とを１本のステンレス製の線材などを湾曲させて形成し、これにステンレス製の線材などをリング状にした保護環７を半田付けなどによって固着させているが、これに限らずさまざまな態様が考えられる。材質は硬質の樹脂でもよく、木製としてもよく、金属や樹脂などを組み合わせてもよく、特に限定しない。
【００１７】
模様付円筒部３の２個のパーツは、表面に模様が付された幅の広いリングである。リングの幅はロール紙Ｐのロール幅の１／３程度が適当である。模様付円筒部３の内径は、未使用時のロール紙Ｐの直径よりもわずかに大きくする。
模様付円筒部３は透明でも不透明でもよく、その表面には模様が付される。この模様付円筒部３に付される模様は、線、絵柄、幾何学図形、漫画、文字など何でもよく、適宜色彩を付す。また、模様の付し方は、印刷しても、手書きでも、裏面に粘着剤が塗布されたシールを貼付しても、どのような手段によってもよい。
なお、通常のロール紙ホルダーにはない模様付円筒部３を備えたことは、この実施形態のロール紙ホルダー１の大きな特徴である。つまり模様付円筒部３を適宜交換することによってこのロール紙ホルダーを兼ねたインテリア用品に変化をつけることができる。ロール紙ホルダー１を販売するとき、模様の異なる複数種類の模様付円筒部３を同梱してもよく、模様付円筒部３だけを別売りしてもよい。
【００１８】
カバー部４はホルダー本体２の上部に取り付けられてロール紙Ｐの外周面の少なくとも上方を覆う。そのため矩形状の樹脂などをロール紙Ｐの外周面に沿った形状に湾曲させて用いる。カバー部４にはホルダー本体２の取っ手５同士の連結部分に当接する箇所にスリット８を設ける。また、カバー部４の内側には、模様付円筒部の各パーツが互いに移動し近接することを防止するために制止片９を設ける。
従来からあるトイレットペーパーホルダーのカバー部はステンレスや真鍮などの金属製の実用本位なものが多いが、この実施形態のカバー部４はプラスチックやガラス等を用いて透明とし、透明部分を残しつつ模様を付す。どのような模様でもよいが、透明部分を通して模様付円筒部３表面の模様が見えるように、分量に注意する。また、模様付円筒部３表面の模様と組み合わさったときの意匠的な効果を考慮して模様や色彩を採択するとよい。模様の付しかたは、印刷しても、手書きでも、裏面に粘着剤が塗布されたシールを貼付してもよい。また、カバー部４をガラスで形成する場合は、ガラスが破損した際にガラス破片の飛散防止のために透明なフィルムをガラス表面あるいは裏面に貼り付けることが好ましいが、この透明なフィルムに模様を印刷等してもよい。
カバー部４の利用者側の辺には、カッター状やのこぎり状にして繰り出したロール紙Ｐを引き切りやすくするためのカッター部（図示せず）を形成してもよい。
【００１９】
ロール紙ホルダー１には、次のようにロール紙Ｐをセットする。
一方のホルダー本体２の取っ手５を上にした状態でＵ字状の芯挿入部６をロール紙Ｐの中空の芯Ｃの一方の端部から挿入する。
ロール紙Ｐの表面に、模様付円筒部３の２個のパーツを被せる。ロール幅の中央部分が空くように２個の模様付円筒部３はそれぞれをロール紙Ｐの短手方向の端部寄りに離して被せる。
次に他方のホルダー本体２の取っ手５を上にした状態でＵ字状の芯挿入部６をロール紙Ｐの芯Ｃの他方の端部から挿入する。
対をなすホルダー本体２の取っ手５同士を連結具１０を用いて連結する。これによりホルダー本体２にロール紙Ｐが固定される。図２は、このロール紙Ｐが固定された状態を示す斜視図である。
図２では筒状の連結具１０に各取っ手５を挿入しているが、ホルダー本体２同士の連結の仕方はこれに限らない。例えば、連結具１０を用いず、一方の取っ手５には先端に開口する嵌合孔（図示せず）を設けて、他方の取っ手５の先端部をこの嵌合孔に嵌め込んでもよい。
【００２０】
取っ手５同士を連結させた部分に上方からカバー部４を被せる。カバー部４が外れないように、カバー部４に設けたスリット８から連結具１０を突出させる。カバー部４の被せ方としては、例えば、ホルダー本体２のそれぞれにカバー部４の厚さに相当する溝（図示せず）を設け、この２箇所の溝でカバー部４を挟んでもよい。要は、カバー部４がホルダー本体２から容易に外れることのないように取り付けられていればよい。
また、カバー部４の内側に制止片９が設けられているので、模様付円筒部３の各パーツが内側に移動してロール紙Ｐを引き出す時の抵抗になることを防止できる。
ロール紙Ｐをセットしたロール紙ホルダー１は、図３に示すように吊紐やチェーンなどの吊下部１１の両端部をホルダー本体２に引っ掛けて、壁面などに接着した吊り下げフック１２から吊り下げて用いる。カバー部４の透明箇所から模様付円筒部３の表面の模様を見ることができる。
【００２１】
図４を参照しながら、変化する模様の発現について説明する。図４では、ホルダー本体２の図示を省略している。
ロール紙Ｐの端を矢印Ｒ１の方向に引っ張ると、模様付円筒部３は矢印Ｒ２の方向に回転する。カバー部４はほとんど動かず静止しているとみなすことができる。
ロール紙Ｐが使用されず静止している状態では、模様付円筒部３とカバー部４のそれぞれの模様が重ね合わさっただけである。しかし、使用時のロール紙Ｐを繰り出す動作によって、模様付円筒部３がロール紙Ｐと同時に回り、ほぼ静止状態のカバー部４の模様と動く模様付円筒部３表面の模様とが重なりあって、模様が流れるように変化していく。
【００２２】
本発明の第２の実施形態のロール紙ホルダー１００について、図５を参照しながら説明する。第１の実施形態と機能が同一の構成要素には、同一の符号を用いる。
【００２３】
この実施形態のロール紙ホルダー１００は、対をなすホルダー本体２とカバー部１０１を備える。このロール紙ホルダー１００が保持するロール紙Ｑは表面に模様が付されていることが必須である。ロール紙Ｑ自体のほぼ全長にわたり模様が付されているので、第１の実施形態の模様付円筒部３は不要である。また、第１の実施形態ではカバー部４は制止片９を備えることが望ましかったが、この実施形態のカバー部１０１には制止片９は不要なことは言うまでもない。
【００２４】
１対のホルダー本体２に模様付きのロール紙Ｑをセットして、吊下げ部１１を壁面に接着した吊り下げフック１２などに掛けて使用する。ロール紙Ｑを繰り出す動作に従い、カバー部１０１の透明な部分から見えるロール紙Ｑの模様が変化し、ほぼ静止状態にあるカバー部１０１の模様とあいまって動きのある模様を発現する。
【００２５】
前記の実施形態はいずれも特許請求の範囲に記載の発明の例示にすぎず、さまざまな変形が可能である。
以下にいくつかの他の実施形態を列挙する。
【００２６】
前記の第１の実施形態では模様付円筒部３のパーツは２個あるが、パーツは１個だけでもかまわない。本来のトイレットペーパーホルダーとしてトイレで使用するには適当でないとしても、リビングなどでインテリアを兼ねて使用する場合は図６に示すロール紙ホルダー２００のように１個のパーツ３をロール紙Ｐ全体に被せるのも意匠的には美しく、ロール紙Ｐを片側から繰り出すことにも違和感はない。なお、カバー部２０１には第１の実施形態の制止片９は不要なことは言うまでもない。
【００２７】
前記の実施形態ではロール紙ホルダーを壁などから吊下げて使用していた。しかし、図７に例示するようなスタンド１３を机やテーブルの上に置き、このスタンド１３のフック部１４に吊下げ部１１を引っ掛けて卓上で使用することもできる。
【００２８】
さらに、吊下げるのではなく机やテーブルなどの平面上に直接置いてもよい。その場合、図８に例示するようにホルダー本体２に脚部１５を設けるとよい。このような使い方をするときは吊下げ部１１は省略可能であるが、脚部１５と吊下げ部１１のいずれも備えておくならば、平面上に置くことも吊り下げることもできる。
なお、脚部１５はロール紙をセットしたロール紙ホルダーを平面上に固定して置けるならば、どのような形状でもよい。
【００２９】
前記の実施形態では、ホルダー本体２の保護環７を通して、ロール紙（Ｐ，Ｑ）の側面が見えてしまうので、トイレットペーパーのイメージが付きまとい、来客の目につく場所では使用したくないと思う人がいるかもしれない。この問題を解消するために、図９に例示するような円盤状の側面カバー部１６を別途用意し、保護環７を覆うようにすればロール紙の端部を隠すことができる、側面カバー部１６は保護環７に固着してもよく、保護環７に２箇所以上の引っ掛け片（図示せず）を設けて使用時に保護環７に固定させてもよい。芯挿入部６の形状によっては芯Ｃの他方の端部から芯挿入部６が突出することがあるので、この場合は側面カバー部１６を穴あき円盤状とすればよい。また、側面カバー部１６の表面には適宜模様を付して意匠的な効果を高めてもよい。
【００３０】
カバー部（４、１０１、２０１）は必ずしも全体が透明でなくてもよい。一部が半透明あるいは不透明であった方が意匠的な効果があることも考えられるので、カバー部（４、１０１、２０１）は少なくとも一部が透明であればよい。また、無色透明に限らず、有色透明でもよい。例えば、カバー部（４、１０１、２０１）を淡いブルーの有色透明とし、模様付円筒部３の表面あるいはロール紙（Ｐ，Ｑ）の表面に多数の魚の模様を付すならば、ロール紙（Ｐ，Ｑ）を繰り出す際に魚が水中を泳ぎまわっているような動画像を見せることができる。模様付円筒部３が２つのパーツから成る場合、各パーツの模様を変えるならばさらに動画像に面白みを加えることができる。
【００３１】
前記の実施形態では、保持されるロール紙は管状の芯を有するタイプであったが、本発明のロール紙ホルダーはいわゆる芯無しのロール紙も保持することができる。
【００３２】
要は、この発明は、セットしたロール紙が使用時に繰り出されるという点に着目し、トイレットペーパーホルダーのような実用品にモアレ模様や流れるように変化する模様を発現させたことが重要なのである。
【産業上の利用可能性】
【００３３】
生活に楽しさと華やかさを添え、潤いを与える今までにない実用品として、家庭だけでなく保育園や老人ホームなどにおいても需要が期待できる。
【符号の説明】
【００３４】
１、１００、２００：ロール紙ホルダー
２：ホルダー本体
３：模様付円筒部
４、１０１、２０１：カバー部
６：芯挿入部
７：保護環
９：制止片
１６：側面カバー部
Ｐ、Ｑ：ロール紙
Ｃ：芯
【要約】
【課題】トイレットペーパーのようなロール紙を回転可能に保持し、そのロール紙を繰り出す際に動きのある模様を発現させることによって、インテリア用品としてリビングや車の中でも違和感なく使用できるロール紙ホルダーを提供すること。
【解決手段】ロール紙ホルダー１は、ロール紙Ｐの芯に挿入されロール紙Ｐを支持する芯挿入部６を有するホルダー本体２と、表面に模様が付され且つロール紙Ｐを覆い且つロール紙Ｐの動きと連動する模様付円筒部３と、ロール紙Ｐと模様付円筒部３とを覆う透明なカバー部４とを備える。カバー部４にも部分的に模様が付され、ロール紙Ｐを使用する際の繰り出す動作に応じて、回転する模様付円筒部３の模様と静止しているカバー部４の模様とが合成されて変化する模様を発現する。
【選択図】図３【図１】
0005430731.tif 000002
【図２】
0005430731.tif 000003
【図３】
0005430731.tif 000004
【図４】
0005430731.tif 000005
【図５】
0005430731.tif 000006
【図６】
0005430731.tif 000007
【図７】
0005430731.tif 000008
【図８】
0005430731.tif 000009
【図９】
0005430731.tif 000010